(57)【要約】【課題】原稿が分厚い場合でも、真上から押さえることを可能にするスキャナ装置。【解決手段】スキャナ装置１は、原稿を載置するための原稿台１１を備えるスキャナハウジング１０と、原稿を押さえるための原稿カバー２０と、原稿台と原稿カバーとを接続する少なくとも２つのリンク部材３０ａ、４０ａとを備える。そして、２つのリンク部材３０ａ、４０ａとスキャナハウジング１０と原稿カバー２０とは、平行リンク機構を形成する。【選択図】図１
2007150848.tif 000002
【特許請求の範囲】
【請求項１】
スキャナ装置であって、
原稿を押さえるための原稿カバーが、原稿を載置するための原稿台に対して、平行リンク機構により平行に変位する
ことを特徴とするスキャナ装置。
【請求項２】
スキャナ装置であって、
原稿を載置するための原稿台を備えるスキャナハウジングと、
原稿を押さえるための原稿カバーと、
前記スキャナハウジングと前記原稿カバーとを接続する少なくとも２つのリンク部材とを備え、
前記２つのリンク部材と前記スキャナハウジングと前記原稿カバーとは、平行リンク機構を形成する
ことを特徴とするスキャナ装置。
【請求項３】
請求項２において、
前記２つのリンクのうちの１つのリンク部材は、前記原稿カバーと着脱自在である
ことを特徴とするスキャナ装置。
【請求項４】
請求項２において、
前記２つのリンク部材の前記スキャナハウジング及び前記原稿カバーとの接続部分は、前記スキャナハウジング及び前記原稿カバーに隠れている
ことを特徴とするスキャナ装置。
【請求項５】
請求項２において、
さらに、前記２つのリンクを接続するリンク部材を備え、
前記スキャナハウジングと、前記２つのリンク部材と、前記２つのリンクを接続するリンク部材とは、平行リンク機構を形成する
ことを特徴とするスキャナ装置。
【発明の詳細な説明】
【技術分野】
【０００１】
本発明は、スキャナ装置に関する。
【背景技術】
【０００２】
図６に従来のスキャナ装置を示す。スキャナ装置は、イメージセンサが搭載されたキャリッジが内部に納められたスキャナハウジング１０と、スキャナハウジング１０の上面の原稿台１１に載置された原稿１００を押さえつけるための原稿カバー２０とを備えている。原稿カバー２０は、その一端でスキャナハウジング１０とヒンジ５５により接続されている（特許文献１参照）。
【０００３】
【特許文献１】特開２０００−２３５２３５号公報
【発明の開示】
【発明が解決しようとする課題】
【０００４】
従来のスキャナ装置では、原稿が分厚い場合、図６に示すように、原稿カバー２０は、原稿１００を斜めから押さえることになる。そうすると、取り込んだ画像にムラが生じ易くなる。また、斜めから押さえるので、原稿の位置がずれたり、外光が侵入し易くなる。
【０００５】
本発明の目的は、原稿が分厚い場合でも、真上から押さえることを可能にすることにある。
【課題を解決するための手段】
【０００６】
上記の目的を達成するため、本発明の第１のスキャナ装置は、原稿を押さえるための原稿カバーが、原稿を載置するための原稿台に対して、平行リンク機構により平行に変位する。
【０００７】
また、本発明の第２は、スキャナ装置であって、
原稿を載置するための原稿台を備えるスキャナハウジングと、
原稿を押さえるための原稿カバーと、
前記スキャナハウジングと前記原稿カバーとを接続する少なくとも２つのリンク部材とを備えている。そして、前記２つのリンク部材と前記スキャナハウジングと前記原稿カバーとは、平行リンク機構を形成する。
【０００８】
前記２つのリンクのうちの１つのリンク部材は、前記原稿カバーと着脱自在であってもよい。
【０００９】
前記２つのリンク部材の前記スキャナハウジング及び前記原稿カバーとの接続部分は、前記スキャナハウジング及び前記原稿カバーに隠れていてもよい。
【００１０】
さらに、前記２つのリンクを接続するリンク部材を備え、前記スキャナハウジングと、前記２つのリンク部材と、前記２つのリンクを接続するリンク部材とは、平行リンク機構を形成していてもよい。
【発明を実施するための最良の形態】
【００１１】
本発明の一実施形態について図面を参照して説明する。
【００１２】
図１は、本実施形態を適用したスキャナ装置１の外観図である。図面の手前がスキャナ装置１の前方となる。
【００１３】
スキャナ装置１は、イメージセンサを搭載したキャリッジ１２を収容するスキャナハウジング１０と、原稿を押さえるための原稿カバー２０とを備えている。
【００１４】
キャリッジ１２は、スキャナハウジング１０に固定されたガイドロッド（不図示）に摺動自在に固定されており、モータ（不図示）の回転に伴ってガイドロッドの軸線方向に往復移動する。
【００１５】
スキャナハウジング１０の上部には開口部が設けられており、開口部には、原稿を載置するための原稿台１１が設置されている。
【００１６】
原稿台１１は、スキャナハウジング１０の上部に形成された開口部を閉塞する透明なガラス板等であって、スキャナハウジング１０に固定されている。
【００１７】
原稿カバー２０は、原稿台１１に載置された原稿を押さえるとともに外光の侵入を軽減させるためにある。原稿カバー２０の原稿に当接する面には、原稿を押圧するためのマット２１が設けられている。
【００１８】
原稿カバー２０は、左右の側面に設けられた同じ長さの４つのリンク部材３０ａ、４０ａ、３０ｂ、４０ｂにより、スキャナハウジング１０に取り付けられている。原稿カバー２０は、これらのリンク部材３０ａ、４０ａ、３０ｂ、４０ｂにより、左右の側面で４節の平行リンク機構を形成し、原稿台１１に対して平行に変位するようになっている。以下に一方の側面（右側面）を例に詳細に説明する。
【００１９】
スキャナハウジング１０の右側面の上部には、前後にそれぞれ、前方回転軸３１ａ、後方回転軸４１ａが取り付けられている。
【００２０】
原稿カバー２０の同一側面（右側面）の下部には、前後にそれぞれ、前方回転軸３２ａ、後方回転軸４２ａが取り付けられている。原稿カバー２０側の前方回転軸３２ａと後方回転軸４２ａとの間の距離は、スキャナハウジング１０側の前方回転軸３１ａと後方回転軸４１ａとの間の距離と同じである。また、図２の（Ａ）に示すように、原稿カバー２０が完全に閉じた状態において、原稿カバー２０の回転軸３２ａ、４２ａの位置は、スキャナハウジング１０の回転軸３１ａ、４１ａの位置よりやや前方である。
【００２１】
前方リンク部材３０ａは、スキャナハウジング１０側の端部に軸穴を備えており、スキャナハウジング１０側の前方回転軸３１ａに嵌め込まれている。これにより、前方リンク部材３０ａは、スキャナハウジング１０にピン固定され、原稿カバー２０側の端部は、スキャナハウジング１０側の前方回転軸３１ａを中心に揺動自在である。
【００２２】
前方リンク部材３０ａの原稿カバー２０側の端部には、他方の端部の軸穴の方向とは反対方向に開口した軸穴３３ａが設けられている。軸穴３３ａは、原稿カバー２０がある程度閉じられると、前方回転軸３２ａに嵌め込まれる。これにより、前方リンク部材３０ａは、原稿カバー２０にピン固定される。このとき、前方リンク部材３０ａのスキャナハウジング１０側の端部は、原稿カバー２０側の前方回転軸３２ａを中心に揺動自在である。また、原稿カバー２０がある程度開いたとき、原稿カバー２０の前方回転軸３２は、前方リンク部材３０ａの開口した軸穴３３ａから外れることができる。すなわち、前方リンク部材３０ａは、原稿カバー２０と着脱自在となる。
【００２３】
後方リンク部材４０ａは、スキャナハウジング１０側の端部に軸穴を備えており、スキャナハウジング１０側の後方回転軸４１ａに嵌め込まれている。これにより、後方リンク部材４０ａは、スキャナハウジング１０にピン固定され、原稿カバー２０側の端部は、スキャナハウジング１０側の後方回転軸４１ａを中心に揺動自在である。
【００２４】
後方リンク部材４０ａは、原稿カバー２０側の端部にも軸穴を備えており、原稿カバー２０側の後方回転軸４２ａに嵌め込まれている。これにより、後方リンク部材４０ａは、原稿カバー２０にピン固定され、スキャナハウジング１０側の端部は、原稿カバー２０側の後方回転軸４２ａを中心に揺動自在である。
【００２５】
軸穴３３ａに原稿カバー２０の前方回転軸３３ａが嵌め込まれた状態において、原稿カバー２０（回転軸の間の部分）と、スキャナハウジング１０（回転軸の間の部分）と、前方リンク部材３０ａと、後方リンク部材４０ａとからなる、４節の平行リンク機構が形成される。これにより、原稿カバー２０は、原稿台１１に対して平行に変位する。
【００２６】
なお、反対の側面（左側面）も同様に、前方リンク部材３０ｂは、スキャナハウジング１０と、スキャナハウジング１０側の前方回転軸３１ｂによりピン固定される。原稿カバー１０側の端部は、開口した軸穴３３ｂを備え、原稿カバー２０側の前方回転軸３２ｂと着脱自在である。後方リンク部材４０ｂは、スキャナハウジング１０と、スキャナハウジング１０側の後方回転軸４１ｂでピン固定されている。また、原稿カバー２０と、原稿カバー２０の後方回転軸４２ｂでピン固定されている。
【００２７】
左右の両側面に平行リンク機構が形成されているので、原稿カバー２０は、原稿台１１に対して、安定して平行変位することが可能となる。そして、原稿カバー２０のマット２１は、真上から原稿を押さえつけることができる。
【００２８】
図２は、原稿カバー２０が開かれるまでの動作の外観図である。図２では、スキャナ装置１の右側面を手前にして示している。
【００２９】
原稿カバー２０が完全に閉じた状態において、前方リンク部材３０ａの原稿カバー２０側の軸穴３３ａは、原稿カバー２０の前方回転軸３２ａに嵌め込まれている（ステップ（Ａ））。
【００３０】
使用者は、原稿カバー２０に後方に向かって力を加える。そうすると、原稿カバー２０は、上方に持ち上がり（ステップ（Ｂ））、やがて前方リンク部材３０ａの軸穴３３ａの開口部が上方に向く（ステップ（Ｃ））。
【００３１】
このとき、原稿カバー２０に更に上方向に力が加えられると、軸穴３３ａから原稿カバー２０の前方回転軸３２ａが外れる（ステップ（Ｄ））。さらに、上方に力が加えられと、原稿カバー２０は更に開いた状態となる（ステップ（Ｅ））。
【００３２】
図３は、原稿が載置され原稿カバー２０が閉じられるまでの動作を示す図である。
【００３３】
上述のように、原稿カバー２０が十分に開かれ、原稿１００が原稿台１１に載置される（ステップ（Ｆ））。
【００３４】
原稿カバー２０が徐々に閉じられ（ステップ（Ｇ））、原稿カバー２０が原稿台１１とおよそ平行になると、前方リンク部材３０ａの原稿カバー２０側の開口した軸穴３３ａに、原稿カバー２０の前方回転軸３２ａが嵌め込まれる（ステップ（Ｈ））。
【００３５】
そのまま、原稿カバー２０がスキャナ装置１の前方（図３の矢印Ｘの方向）に引かれると、原稿カバー２０は、原稿台１１と平行を維持したまま下方に変位し、原稿が真上から押さえつけられる（ステップ（Ｉ））。
【００３６】
以上、原稿カバー２０が開かれ、そこへ原稿が載置され、原稿カバー２０が閉じられるまでの動作を説明した。原稿カバー２０が閉じられると、スキャナ装置１は、使用者からの操作命令に従ってスキャン処理を開始する。
【００３７】
以上、本発明の一実施形態について説明した。
【００３８】
上記実施形態によれば、原稿カバーは原稿台に対して平行に変位する。したがって、原稿を真上から押さえることができ、取り込んだ画像のムラを抑制できる。また、原稿のズレや外光の侵入を低減できる。
【００３９】
また、平行リンク機構を形成するリンク部材の一部は、ある程度原稿カバーが開かれた状態において着脱自在になっている。すなわち、原稿カバーは、二段階で開閉することができる。したがって、使用者は、原稿カバーを十分に開いて原稿を載置することができる。
【００４０】
＜変形例＞
本発明は、上記実施形態に制限されない。上記実施形態は、本発明の技術的思想の範囲内で様々な変形が可能である。
【００４１】
例えば、原稿カバー２０を閉じていくときに、前方リンク部材３０ａ，３０ｂの軸穴３３ａ、３３ｂが、原稿カバー２０側の前方回転軸３２ａ、３２ｂに確実に嵌め込まれるように、着脱後の前方リンク部材３０ａ，３０ｂの自由な動きを制限するようにしてもよい。
【００４２】
具体的には、図４に示すように、前方リンク部材３０ａと後方リンク部材４０ａとをピン固定により連結するリンク部材５０ａを設ける。すなわち、前方リンク部材３０ａと、後方リンク部材４０ａと、スキャナハウジング１０（回転軸の間の部分）と、新たに設けたリンク部材５０ａとで、４節の平行リンク機構が形成されるようにする。そして、着脱後の前方リンク部材３０ａが、後方リンク部材４０ａに連動するようにする（ステップ（Ａ）〜（Ｄ）参照）。こうすれば、再び原稿カバー２０が閉じられるときに、前方リンク部材３０ａの軸穴３３ａは、原稿カバー２０の前方回転軸３２ａの位置にくるので、確実にはめ合わせることができる。
【００４３】
また、図５に示すように、前方リンク部材３０ａ（３０ｂ）と、後方リンク部材４０ａ（４０ｂ）とを、原稿カバー２０が完全に閉じたときに見えないようにしてもよい。具体的には、リンク部材３０ａ、４０ａ、３０ｂ、４０ｂのスキャナハウジング１０側の連結部分を、スキャナハウジング１０で覆い隠す。また、リンク部材３０ａ、４０ａ、３０ｂ、４０ｂの原稿カバー２０側の連結部分を、原稿カバー２０で覆い隠す。言い換えれば、それぞれのリンク部材３０ａ、４０ａ、３０ｂ、４０ｂを、スキャナハウジング１０の上面で、かつ原稿台１１の外に位置する穴を通過するようにする。また、それぞれのリンク部材３０ａ、４０ａ、３０ｂ、４０ｂを、原稿カバー２０の下面（原稿台１１に対向する面）で、かつマット２１の外に位置する穴を通過するようにする。
【００４４】
また、上記の説明では、本発明をスキャナ装置に適用した例について説明したが、画像を読み取る装置であれば、これに限定されない。例えば、コピー機、ファクシミリ機、これらの複合機などに適用することもできる。
【図面の簡単な説明】
【００４５】
【図１】スキャナ装置の外観図。
【図２】原稿カバーを開くときの動作を説明する図。
【図３】原稿カバーを閉じるときの動作を説明する図。
【図４】原稿カバーを開くときの動作を説明する図。
【図５】スキャナ装置の外観図。
【図６】従来のスキャナ装置の外観図。
【符号の説明】
【００４６】
１…スキャナ装置、
１０…スキャナハウジング、１１…原稿台、１２…キャリッジ、
２０…原稿カバー、２１…マット、
３０ａ、３０ｂ、４０ａ、４０ｂ…リンク部材、
３１ａ、３１ｂ、３２ａ、３２ｂ、４１ａ、４１ｂ、４２ａ、４２ｂ…回転軸、
３３ａ、３３ｂ…軸穴
【図１】
2007150848.tif 000003
【図２】
2007150848.tif 000004
【図３】
2007150848.tif 000005
【図４】
2007150848.tif 000006
【図５】
2007150848.tif 000007
【図６】
2007150848.tif 000008